(57)【要約】【課題】吹出口の板状部の板幅に関わらず確実にかつ簡易に設置することができる空気導入装置を提供する。【解決手段】空調機の吹出口から吹き出される空気を対象物に導入する空気導入装置１であって、一端側が前記吹出口の板状部に固定され、他端側が前記吹出口の外側に延設される固定部２と、前記吹出口に当接するとともに固定部２の他端側が貫通するジョイント部４と、固定部２の他端側とジョイント部４とを留め付ける留付部５と、ジョイント部４に連結されたホース部６と、を有することを特徴とする。【選択図】図２
2013170796.tif 000002
【特許請求の範囲】
【請求項１】
空調機の吹出口から吹き出される空気を対象物に導入する空気導入装置であって、
一端側が前記吹出口の板状部に固定され、他端側が前記吹出口の外側に延設される固定部と、
前記吹出口に当接するとともに前記固定部の他端側が貫通するジョイント部と、
前記固定部の他端側と前記ジョイント部とを留め付ける留付部と、
前記ジョイント部に連結されたホース部と、を有することを特徴とする空気導入装置。
【請求項２】
前記固定部の一端側には、前記板状部を板厚方向に挟持する挟持部が形成されていることを特徴とする請求項１に記載の空気導入装置。
【請求項３】
前記吹出口と前記ジョイント部の間をシールするシール部が設けられており、前記シール部には、前記吹出口から吹き出される空気を通す挿通口が形成されていることを特徴とする請求項１又は請求項２に記載の空気導入装置。
【請求項４】
前記ジョイント部において、前記固定部の他端側が貫通する貫通孔は、長孔状を呈することを特徴とする請求項１乃至請求項３のいずれか一項に記載の空気導入装置。
【発明の詳細な説明】
【技術分野】
【０００１】
本発明は、空調機の吹出口から吹き出される空気を対象物に導入する空気導入装置に関する。
【背景技術】
【０００２】
特許文献１には、車両の空調機の吹出口に着脱自在に取り付けられた空気導入装置が記載されている。従来の空気導入装置は、吹出口の外側に配置されるジョイント部と、前記ジョイント部に連結されるホース部とで構成されている。ジョイント部には、吹出口のルーバー（板状部）に係止される一対の係止片が形成されている。係止片の突部を板状部の端部に係止させることにより、ジョイント部を板状部に係止させることができる。
【先行技術文献】
【特許文献】
【０００３】
【特許文献１】特開平０２−１８２５３２号公報
【発明の概要】
【発明が解決しようとする課題】
【０００４】
しかし、吹出口の板状部の板幅は車両によって異なるため、従来の空気導入装置では以下のような問題があった。例えば、板状部の板幅が長い場合、板状部の端部に係止片の突部がとどかず、ジョイント部を設置することができないという問題があった。一方、板状部の板幅が短い場合、係止片を板状部に係止させても吹出口とジョイント部との間に隙間が生じてしまい空気の導入効率が悪くなるという問題があった。また、この場合は、吹出口に対してジョイント部がガタつくため、吹出口からジョイント部が脱落しやすい問題があった。
【０００５】
本発明は、このような観点から創案されたものであり、吹出口の板状部の板幅に関わらず確実にかつ簡易に設置することができる空気導入装置を提供することを課題とする。
【課題を解決するための手段】
【０００６】
このような課題を解決するために、本発明は、空調機の吹出口から吹き出される空気を対象物に導入する空気導入装置であって、一端側が前記吹出口の板状部に固定され、他端側が前記吹出口の外側に延設される固定部と、前記吹出口に当接するとともに前記固定部の他端側が貫通するジョイント部と、前記固定部の他端側と前記ジョイント部とを留め付ける留付部と、前記ジョイント部に連結されたホース部と、を有することを特徴とする。
【０００７】
かかる構成によれば、固定部の他端側とジョイント部とを留付部で留め付けることにより、板状部の板幅に関わらず吹出口とジョイント部との間を塞ぐことができる。これにより、空気の導入効率を向上させることができる。また、ジョイント部に固定部の他端側を貫通させて留付部で留め付ける形態としたため、確実にかつ簡易に設置することができる。
【０００８】
また、前記固定部の一端側には、前記板状部を板厚方向に挟持する挟持部が形成されていることが好ましい。かかる構成によれば、板状部に固定部をより確実にかつ簡易に固定することができる。
【０００９】
また、前記吹出口と前記ジョイント部の間をシールするシール部が設けられており、前記シール部には、前記吹出口から吹き出される空気を通す挿通口が形成されていることが好ましい。かかる構成によれば、空気の導入効率をより高めることができる。
【００１０】
また、前記ジョイント部において、前記固定部の他端側が貫通する貫通孔は、長孔状を呈することが好ましい。かかる構成によれば、貫通孔の中で固定部の他端側を移動させることができるため、取付性を向上させることができる。
【発明の効果】
【００１１】
本発明の空気導入装置によれば、吹出口の板状部の板幅に関わらず確実にかつ簡易に設置することができる。
【図面の簡単な説明】
【００１２】
【図１】第一実施形態に係る空気導入装置の使用例を示す模式図である。
【図２】第一実施形態に係る空気導入装置の分解斜視図である。
【図３】第一実施形態に係る空気導入装置の設置方法を示す断面図であって、（ａ）は固定工程、（ｂ）はジョイント部固定工程を示す。
【図４】第二実施形態に係る空気導入装置を示す斜視図である。
【図５】第三実施形態に係る空気導入装置を示す図であって、（ａ）は断面図、（ｂ）は当接部材を示す斜視図である。
【図６】（ａ）は固定部の第一変形例を示し、（ｂ）は固定部の第二変形例を示す。
【発明を実施するための形態】
【００１３】
［第一実施形態］
本発明の第一実施形態について、図面を参照して詳細に説明する。図１に示すように、空気導入装置１は、例えば車両Ｖに形成された空調機の吹出口Ｆに設置され、空調機から吹き出される空気を対象物Ｔに導入する装置である。この空調機は、冷房、暖房、送風を行うことができる。以下の説明における上下左右前後は、車両Ｖに乗車するドライバーを基準として図２の矢印に従う。
【００１４】
図２に示すように、空気導入装置１は、固定部２と、シール部３と、ジョイント部４と、留付部５と、ホース部６とで主に構成されている。固定部２は、前端側に形成された挟持部１１と、後端側に形成された被留付部１２とで構成されている。挟持部１１は、吹出口ＦのルーバーＲ（図３の（ａ）参照）に固定される部位であって、二股に分られた板状の基板部１１ａと、基板部１１ａの前端に形成された弾性爪部１１ｂ，１１ｂとで構成されている。なお、ルーバーＲは、特許請求の範囲の「板状部」に相当する部位である。
【００１５】
弾性爪部１１ｂは、基板部１１ａの前端において湾曲成形されており、その先端が後側を向いて自由端になっている。使用していない場合は、弾性爪部１１ｂの先端と基板部１１ａとの間は、わずかな隙間をあけて対向している。なお、挟持部１１の周囲に、例えばシート状の緩衝材を設けてもよい。これにより、ルーバーＲの損傷を防ぐことができる。
【００１６】
被留付部１２は、挟持部１１の後端側に接合された円柱状の棒状部材である。被留付部１２の周囲には、ネジ溝が形成されている。被留付部１２は、留付部５が留め付けられる部位である。
【００１７】
固定部２は、本実施形態では金属で形成されているが、樹脂等の他の硬質の材料であってもよい。また、固定部２は、本実施形態では、挟持部１１と被留付部１２とを溶接によって一体化しているが、一体成形物を用いてもよい。
【００１８】
シール部３は、吹出口Ｆとジョイント部４との間をシールする部材である。シール部３は、本実施形態では、円形のリング状になっている。シール部３には、円形の挿通口１３が形成されている。挿通口１３は、吹出口Ｆから吹き出される空気を通す部位である。
【００１９】
シール部３は、吹出口Ｆとジョイント部４との間の空気の漏れを防止できる材料であればどのような材料であってもよいが、ゴムや可撓性を備えた合成樹脂等吹出口Ｆの形状に沿って追従する材料であることが好ましい。シール部３は、ジョイント部４と別体であってもよいが、本実施形態のように接着剤等によってジョイント部４に接着されていてもよい。なお、本実施形態ではシール部３を用いているが、シール部３は省略してもよい。
【００２０】
ジョイント部４は、吹出口Ｆの外側（車両Ｖの室内空間側）に配置される部位である。ジョイント部４は、本体部１４と、接合部１５とで主に構成されている。本体部１４は、略半球状を呈し内部に中空部を備えている。本体部１４の前端側は円形のフランジが形成されており、このフランジにシール部３が接着される。本体部１４の前端側の内径は、本実施形態では、吹出口Ｆの開口径と同程度になっている。
【００２１】
接合部１５は、略円筒状を呈し、本体部１４の後端側に形成されている。接合部１５の後端側には、貫通孔１５ａ及び送気口１５ｂ，１５ｂが形成されている。貫通孔１５ａは、固定部２の被留付部１２が貫通する部位である。貫通孔１５ａの孔幅は被留付部１２の外径よりもわずかに大きくなっている。貫通孔１５ａは、被留付部１２が貫通すればどのような形状でもよいが、本実施形態では長孔状になっている。送気口１５ｂ，１５ｂは貫通孔１５ａの両側に形成されており、吹出口Ｆから送気される空気が通る部位である。
【００２２】
接合部１５の外周面には、突起部１５ｃ，１５ｃが形成されている。突起部１５ｃは、円柱状を呈し左右方向外側に向けて突出している。突起部１５ｃ，１５ｃは、接合部１５の外周面において互いに対向する位置に設けられている。
【００２３】
留付部５は、固定部２の被留付部１２に螺合される蝶ナットである。留付部５は、本実施形態では蝶ナットを用いたが、被留付部１２に対してジョイント部４を移動不能に留め付けることが可能であればクリップ等の他の部材であってもよい。
【００２４】
ホース部６は、ジョイント部４の接合部１５に接合されるジャバラ状の管である。ホース部６は、基端部２１と、ジャバラ部２２と、先端部２３とで構成されている。基端部２１は、前端側に位置する筒状部である。基端部２１の内周面と接合部１５の外周面とは互いに接触する大きさになっている。基端部２１の前端には、切欠き部２４が形成されている。切欠き部２４は、前後方向に切り欠かれた挿入部２４ａと、挿入部２４ａの後端側から基端部２１の周方向に切り欠かれた係合部２４ｂとで構成されている。挿入部２４ａ及び係合部２４ｂの幅は、突起部１５ｃの外径と略同等に形成されている。
【００２５】
ジャバラ部２２は、ジャバラ状に形成されており、伸縮自在になっている。先端部２３は、後端側に位置する筒状部である。先端部２３は、対象物Ｔの内部に挿入される部位である。
【００２６】
ジョイント部４にホース部６を接続する場合は、切欠き部２４の挿入部２４ａを突起部１５ｃに挿入し、ホース部６を周方向に回転させればよい。
【００２７】
なお、第一のホース部６に第二のホース部（図示省略）を連結してホース部を長くしてもよい。この場合は、第一のホース部６の先端部２３の円筒面に突起部１５ｃと同様の突起部を設けるとともに、第二のホース部の基端部に切欠き部２４と同様の切欠き部を設け、突起部と切欠き部とが係合するようにすればよい。
【００２８】
次に、空気導入装置１の設置方法について説明する。空気導入装置１の設置方法では、固定工程と、ジョイント部貫通工程と、留付け工程と、ホース部接続工程とを行う。
【００２９】
固定工程では、図３の（ａ）に示すように、固定部２を吹出口ＦのルーバーＲに固定する。ルーバーＲは、吹出口Ｆに等間隔で複数枚（本実施形態では５枚）設置される板状部材であって、吹き出される空気の風向を変更することができる部材である。ルーバーＲは、板幅方向の中央に形成された回転軸を支点に回転可能になっている。
【００３０】
固定工程では、利用者は、固定部２を把持し、挟持部１１をルーバーＲ，Ｒの間から挿入し、ルーバーＲの前端に弾性爪部１１ｂ，１１ｂを係合させる。弾性爪部１１ｂの先端は基板部１１ａから離間する方向に反り返っているため、ルーバーＲを係合させやすくなっている。弾性爪部１１ｂと基板部１１ａとの間にルーバーＲが挿入されると、弾性爪部１１ｂが基板部１１ａから離間する方向に開き、その反力によってルーバーＲを板厚方向に挟持する。固定部２をルーバーＲに固定すると、利用者が固定部２から手を離してもルーバーＲに保持された状態となるとともに、被留付部１２が吹出口Ｆの外側に延設された状態となる。
【００３１】
ジョイント部貫通工程では、ジョイント部４に対して固定部２を貫通させる。具体的には、図３の（ｂ）に示すように、ジョイント部４の貫通孔１５ａに対して被留付部１２を貫通させる。
【００３２】
留付け工程では、被留付部１２に留付部５を螺合する。これにより、弾性爪部１１ｂと留付部５との間でジョイント部４が強固に固定される。
【００３３】
ホース部接続工程では、ジョイント部４の接合部１５にホース部６の基端部２１を接続する。接合部１５にホース部６を接続すると、基端部２１の前端が本体部１４に当接する。最後に、図１に示すように、対象物Ｔにホース部６の先端部２３を挿入する。対象物Ｔは、例えば、生鮮食品を入れたビニール袋Ｔａであって、ビニール袋Ｔａの把持部と先端部２３とを結ぶなどして密閉されている。
【００３４】
以上説明した空気導入装置１によれば、空調機から吹き出した空気（例えば、冷たい空気）を対象物Ｔに導入することができるため、対象物Ｔの生鮮食品の鮮度を保つことができる。
【００３５】
また、ルーバーＲの板幅（図３の前後方向の幅）は、車両Ｖによって異なるが、本実施形態では、固定部２の被留付部１２にジョイント部４を貫通させて、留付部５で留め付ける構成としたため、ルーバーＲの板幅に関わらずシール部３と吹出口Ｆの開口周辺部とを密接させることができる。これにより、空気導入装置１の空気の導入効率を向上させることができる。
【００３６】
また、ジョイント部４に固定部２の被留付部１２を貫通させて留付部５で留め付ける構成としたため、確実にかつ簡易に設置することができる。
【００３７】
また、ルーバーＲの板長方向に沿って、弾性爪部１１ｂ，１１ｂを係合させる構成としたため、ルーバーＲに対して固定部２を安定して保持させることができる。これにより、固定部２の被留付部１２にジョイント部４を貫通させる際や留付部５を留め付ける際に固定部２を把持し続ける必要が無いため組み付け性を向上させることができる。
【００３８】
また、ジョイント部４に突起部１５ｃを設けるとともに、ホース部６に切欠き部２４を設けることにより、ジョイント部４にホース部６を簡易に接続することができる。
【００３９】
［第二実施形態］
次に、本発明の第二実施形態について説明する。図４は、第二実施形態に係る空気導入装置を示す斜視図である。第二実施形態に係る空気導入装置１Ａでは、シール部３Ａが前記した第一実施形態と相違する。図４に示すように、車両Ｖによっては吹出口Ｆ１の形状が長方形の場合がある。このような場合は、例えば、円形の挿通口１３Ａを備えた長方形のシール部３Ａを設けてもよい。
【００４０】
シール部３Ａは、例えば板状のゴム部材又はクッション性を備えた部材であって、吹出口Ｆ１の開口の大きさに合わせてハサミ等で切削して形成されている。シール部３Ａを用いることにより、吹出口Ｆ１が長方形の場合であっても、ジョイント部４の形状を変更することなく空気の導入効率を向上させることができる。挿通口１３Ａは、円形としたが空気が最も通る形状に適宜変更すればよい。
【００４１】
なお、吹出口Ｆ１の開口が長方形や他の形状である場合は、その形状に合わせてジョイント部４の形状を変更してもよい。
【００４２】
［第三実施形態］
次に、本発明の第三実施形態について説明する。図５は、第三実施形態に係る空気導入装置を示す図であって、（ａ）は断面図、（ｂ）は当接部を示す斜視図である。第三実施形態に係る空気導入装置１Ｃは、固定部２Ｃと、ジョイント部４と、留付部５と、ホース部６と、当接部材７と、留め具８とで構成されている。
【００４３】
固定部２Ｃは、前端に形成された湾曲状の係止部１１Ｃｂと、後端に形成された直線状の被留付部１２Ｃとで構成されている。固定部２Ｃは、一の棒状部材を折り曲げて形成されている。
【００４４】
ジョイント部４は、フランジが大きく、かつ、シール部３が形成されていない点で第一実施形態と相違する。ジョイント部４のフランジには、粘着性の両面テープＮが設けられている。これにより、ジョイント部４が、吹出口Ｆの開口周辺部に対して取り付け又は剥離可能になっている。留付部５及びホース部６は、第一実施形態と同等の部材である。
【００４５】
当接部材７は、ルーバーＲの後端に当接する部材である。当接部材７は、図５の（ｂ）に示すように、板状部材であって、第一板部７ａと、第二板部７ｂと、孔部７ｃとで構成されている。第一板部７ａと第二板部７ｂとがなす角度は、鈍角となるように形成されている。孔部７ｃは、第一板部７ａに形成されており、固定部２Ｃの被留付部１２Ｃが挿通するようになっている。当接部材７の材料は、特に制限されないが、ゴム等のクッション性を備えた材料であることが好ましい。
【００４６】
留め具８は、被留付部１２Ｃに螺合されるナットである。留め具８は、当接部材７をルーバーＲの後端に当接可能であれば他の部材であってもよい。
【００４７】
第三実施形態に係る固定部２Ｃは、ルーバーＲの前端に係止部１１Ｃｂが係止されるとともに、ルーバーＲの後端に当接部材７を介して留め具８が螺合される。これにより、固定部２Ｃは、ルーバーＲに固定された状態となる。よって、ジョイント部４及び留付部５の固定作業を容易に行うことができる。また、ジョイント部４のフランジに着脱可能な両面テープＮが設けられているため、吹出口Ｆに対するジョイント部４の位置決めが容易になる。
【００４８】
なお、固定部２Ｃの周囲に、例えばゴムチューブなどを被覆することにより、ルーバーＲの損傷を防ぐことができる。
【００４９】
以上本発明の実施形態について説明したが本発明の趣旨に反しない範囲において、適宜設計変更が可能である。
【００５０】
図６（ａ）は固定部の第一変形例を示し、（ｂ）は固定部の第二変形例を示す。図６の（ａ）に示すように、第一変形例に係る固定部２Ａは、一本の棒状部材で構成されており、挟持部１１Ａと、被留付部１２Ａとを有する。挟持部１１Ａの先端にはルーバーＲを挟持する一つの弾性爪部１１Ａｂが形成されている。固定部２Ａをこのように形成することで、固定部２Ａの簡素化を図ることができる。なお、弾性爪部１１ＡｂはルーバーＲを挟持するようにしているが、弾性機能は備えずに単に引っ掛ける形状としてもよい。このようにすると、ルーバーＲを挟持する場合と比べてルーバーＲに傷がつきにくいという効果がある。
【００５１】
図６の（ｂ）に示すように、第二変形例に係る固定部２Ｂは、挟持部１１Ｂと、被留付部１２Ｂとで構成されている。挟持部１１Ｂは、一対の板状挟持バネ１１Ｂｂ，１１Ｂｂが形成されている。板状挟持バネ１１Ｂｂ，１１Ｂｂは、通常時は互いに近接する方向に付勢されており、ルーバーＲが挿入されるとルーバーＲを板厚方向に挟持する。固定部２Ｂをこのように形成しても実施形態で記載した固定部２と略同様の効果を奏することができる。
【００５２】
また、例えば、吹出口Ｆが、車両Ｖの室内空間側に突出している場合は、その形状に合わせてジョイント部４を変形させることにより、吹出口Ｆとジョイント部４との隙間を塞ぐように構成してもよい。
【００５３】
また、ホース部６の先端部２３に、例えばフランジ等の取付部を設けることにより、対象物Ｔと先端部２３との密閉性を向上させてもよい。また、本実施形態では、「板状部」として、吹出口ＦのルーバーＲを例示したがこれに限定されるものではない。「板状部」は、吹出口Ｆの内部において、挟持部１１を固定可能な板状の部位であればよい。また、本実施形態では、車両Ｖに空気導入装置１を設置する場合を例示したが、板状部を備える吹出口Ｆであれば他の装置に設置してもよい。
【００５４】
また、図１では対象物Ｔとして袋状の容器を描画しているが、例えば他の容器に用いてもよいし、ホース部６の先端部２３を人や物に向けて使用してもよい。また、本実施形態では、空調機を冷房した場合について例示したが、暖房や送風時に使用してもよい。
【００５５】
また、本実施形態では挟持部１１で固定部２をルーバーＲに固定するようにしたが、着脱自在な他の形態でルーバーＲに固定部２を固定してもよい。
【符号の説明】
【００５６】
１      空気導入装置
２      固定部
３      シール部
４      ジョイント部
５      留付部
６      ホース部
１１    挟持部
１２    被留付部
１３    挿通口
１４    本体部
１５    接合部
１５ａ  貫通孔
Ｆ      吹出口
Ｒ      ルーバー（板状部）
Ｖ      車両
【図１】
2013170796.tif 000003
【図２】
2013170796.tif 000004
【図３】
2013170796.tif 000005
【図４】
2013170796.tif 000006
【図５】
2013170796.tif 000007
【図６】
2013170796.tif 000008
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
空調機の吹出口から吹き出される空気を対象物に導入する空気導入装置であって、
前記吹出口の板状部を板厚方向に挟持する挟持部及び前記挟持部から前記吹出口の外側に延設された被留付部を有し、前記挟持部と前記被留付部とが一体に形成された固定部と、
前記吹出口に当接するとともに前記被留付部が貫通するジョイント部と、
前記被留付部と前記ジョイント部とを留め付ける留付部と、
前記吹出口と前記ジョイント部の間をシールするとともに前記吹出口から吹き出される空気を通す挿通口を備えたシール部と、
前記ジョイント部に連結されたホース部と、を有し、
前記挟持部は、前記板状部に面接触する板状の基板部及び前記基板部の一端に設けられるとともに前記板状部を板厚方向に挟持する複数の弾性爪部を備え、
前記ジョイント部には、長孔状を呈し、前記固定部の前記被留付部が貫通する貫通孔が形成されていることを特徴とする空気導入装置。
【手続補正２】
【補正対象書類名】明細書
【補正対象項目名】０００６
【補正方法】変更
【補正の内容】
【０００６】
このような課題を解決するために、本発明は、空調機の吹出口から吹き出される空気を対象物に導入する空気導入装置であって、前記吹出口の板状部を板厚方向に挟持する挟持部及び前記挟持部から前記吹出口の外側に延設された被留付部を有し、前記挟持部と前記被留付部とが一体に形成された固定部と、前記吹出口に当接するとともに前記被留付部が貫通するジョイント部と、前記被留付部と前記ジョイント部とを留め付ける留付部と、前記吹出口と前記ジョイント部の間をシールするとともに前記吹出口から吹き出される空気を通す挿通口を備えたシール部と、前記ジョイント部に連結されたホース部と、を有し、前記挟持部は、前記板状部に面接触する板状の基板部及び前記基板部の一端に設けられるとともに前記板状部を板厚方向に挟持する複数の弾性爪部を備え、前記ジョイント部には、長孔状を呈し、前記固定部の前記被留付部が貫通する貫通孔が形成されていることを特徴とする。
【手続補正３】
【補正対象書類名】明細書
【補正対象項目名】０００７
【補正方法】変更
【補正の内容】
【０００７】
かかる構成によれば、固定部の被留付部とジョイント部とを留付部で留め付けることにより、板状部の板幅に関わらず吹出口とジョイント部との間を塞ぐことができる。これにより、空気の導入効率を向上させることができる。また、ジョイント部に固定部の被留付部を貫通させて留付部で留め付ける形態としたため、確実にかつ簡易に設置することができる。
【手続補正４】
【補正対象書類名】明細書
【補正対象項目名】０００８
【補正方法】変更
【補正の内容】
【０００８】
また、挟持部を備えることにより、板状部に固定部をより確実にかつ簡易に固定することができる。
【手続補正５】
【補正対象書類名】明細書
【補正対象項目名】０００９
【補正方法】変更
【補正の内容】
【０００９】
また、シール部を備えることにより、空気の導入効率をより高めることができる。
【手続補正６】
【補正対象書類名】明細書
【補正対象項目名】００１０
【補正方法】変更
【補正の内容】
【００１０】
また、貫通孔を備えることにより、貫通孔の中で固定部の被留付部を移動させることができるため、取付性を向上させることができる。